(57)【要約】【課題】一対の水平偏向コイルの引き回し線が接続されるプラス端子及びマイナス端子を偏向ヨークに対して上側又は下側に配置されたカラー受像管装置において、上下一対の水平偏向コイル間でのインダクタンス差により生じるＸＶミスコンバーゼンスを安価に低減する。【解決手段】偏向ヨークの一対の水平偏向コイル４１，４２に水平偏向電流を供給するプラス端子Ｈ＋及びマイナス端子Ｈ−は偏向ヨークに対して上側及び下側のいずれか一方の側にのみ配置されている。一対の水平偏向コイルのうち、プラス端子及びマイナス端子から遠い方の水平偏向コイルのプラス端子に接続された第１引き回し線とマイナス端子に接続された第２引き回し線とは、管軸に沿って見たとき３電子ビームに対して右側及び左側のうちのいずれか一方側に配置されている。【選択図】図２
2008159282.tif 000002
【特許請求の範囲】
【請求項１】
内面に蛍光面が形成されたパネルと、前記パネルに接合されたファンネルと、前記ファンネルのネック部内に内装され、同一水平面上に一列配置された３電子ビームを前記蛍光面に向かって放射する電子銃と、前記蛍光面に対向し、前記３電子ビームが通過する多数の開孔が形成されたシャドウマスクと、前記電子銃から放射された前記３電子ビームを水平方向及び垂直方向に偏向する偏向ヨークとを備えたカラー受像管装置であって、
前記偏向ヨークは、前記３電子ビームを水平方向に偏向する上下一対の水平偏向コイルと、前記一対の水平偏向コイルに水平偏向電流を供給するプラス端子及びマイナス端子とを備え、
前記プラス端子及び前記マイナス端子は前記偏向ヨークに対して上側及び下側のいずれか一方の側にのみ配置されており、
前記一対の水平偏向コイルのうち、前記プラス端子及び前記マイナス端子から遠い方の水平偏向コイルの前記プラス端子に接続された第１引き回し線と前記マイナス端子に接続された第２引き回し線とは、管軸に沿って見たとき前記３電子ビームに対して右側及び左側のうちのいずれか一方側に配置されていることを特徴とするカラー受像管装置。
【発明の詳細な説明】
【技術分野】
【０００１】
本発明はカラー受像管装置に関する。
【背景技術】
【０００２】
一般にカラー受像管装置は、内面に蛍光面が形成されたパネルと、パネルに接合されたファンネルと、ファンネルのネック部内に内装され、同一水平面上に一列配置された３電子ビームを蛍光面に向かって放射する電子銃と、蛍光面に対向し、３電子ビームが通過する多数の開孔が形成されたシャドウマスクと、電子銃から放射された３電子ビームを水平方向及び垂直方向に偏向する偏向ヨークとを備える。
【０００３】
３電子ビームは、シャドウマスクの開孔を通過した後、蛍光面上の赤，緑，青にそれぞれ発光する蛍光体にそれぞれ衝突する。赤（Ｒ），緑（Ｇ），青（Ｂ）の各蛍光体に衝突する電子ビームを、蛍光体の色に対応させてＲビーム，Ｇビーム，Ｂビームと称する。同一水平面上に一列配置された３電子ビームを放射するインライン型カラー受像管装置では、通常、Ｇビームが中央に配置され、これを挟んでＲビームとＢビームが配置されている。セルフコンバージェンス方式のカラー受像管装置では、３電子ビームを画面上で一致させる為に、偏向ヨークが、ピンクッション形の水平偏向磁界とバレル形の垂直偏向磁界とを形成することは周知である。
【０００４】
図４は、従来のカラー受像管装置において、偏向ヨークを構成する上下一対の水平偏向コイルの引き回し線の配置を管軸に沿って蛍光面側から見た図である。図４において、Ｂ，Ｇ，Ｒは順にＢビーム，Ｇビーム，Ｒビームを示す。管軸を含む水平方向面を挟むように上下一対の水平偏向コイル４１，４２が配置されている。一対の水平偏向コイル４１，４２に水平偏向電流を供給するためのプラス端子Ｈ＋及びマイナス端子Ｈ−からなる一対の水平端子が設けられた端子板４９が偏向ヨークに対して上側に配置されている。上側水平偏向コイル４１の一方の引き回し線４３ａは上方に引き出されてプラス端子Ｈ＋に接続され、他方の引き回し線４３ｂは上方に引き出されてマイナス端子Ｈ−に接続されている。下側水平偏向コイル４２の一方の引き回し線４４ａは３電子ビームに対して左側に引き回されて上方に引き出されてプラス端子Ｈ＋に接続され、他方の引き回し線４４ｂは３電子ビームに対して右側に引き回されて上方に引き出されてマイナス端子Ｈ−に接続されている。
【０００５】
このように、下側水平偏向コイル４２の一対の引き回し線４４ａ，４４ｂが上側水平偏向コイル４１及び３電子ビームを水平方向に挟んで配置されると、下側水平偏向コイル４２の引き回し線４４ａ，４４ｂが全体として３電子ビームを囲むループ形状を形成する。従って、上側水平偏向コイル４１と下側水平偏向コイル４２とが同じインダクタンスを有するように巻線が巻回されていても、プラス端子Ｈ＋及びマイナス端子Ｈ−間においては、下側水平偏向コイル４２のインダクタンスＬＨｂが変化し、上側水平偏向コイル４１のインダクタンスＬＨａよりも大きくなってしまう。
【０００６】
この状態で水平偏向電流が流れると、一対の水平偏向コイル４１，４２は、図５に示すように管軸を含む水平方向面に対して下側が上側に比べてピンクッション状歪みが大きな水平偏向磁界を発生する。このため、Ｘ軸上の画面周辺に偏向される３電子ビームは、この水平偏向磁界によって、水平方向のローレンツ力に加えて、垂直方向のローレンツ力を受ける。しかも、３電子ビームの水平方向位置が異なることにより、３電子ビームがそれぞれ受ける垂直方向のローレンツ力は互いに異なる。従って、図６に示すように、画面の左側ではＢビームに対しＲビームが下側になり、画面右側ではＢビームに対しＲビームが上側になり、水平方向の青のラスタＢと水平方向の赤のラスタＲとが交差する、ＸＶと呼ばれるミスコンバーゼンスが発生する。同様の理由により、画面上下においてもＸＶミスコンバーゼンスが発生する。
【０００７】
このようなＸＶミスコンバーゼンスが発生している状態では、良好な画像特性を有しているといえない。従来は、一般に、水平偏向コイルに差動コイルを接続して、見かけ上、上側水平偏向コイル４１のインダクタンスＬＨａと下側水平偏向コイル４２のインダクタンスＬＨｂとを一致させることにより、ＸＶミスコンバーゼンスを補正している。しかしながら、この補正方法は、差動コイルを追加するため、偏向ヨークのコストアップを招くという問題を有している。
【０００８】
また、特許文献１には、一対の水平偏向コイルの引き回し線が接続される一対の水平端子が設けられる端子板を、偏向ヨークの側方（管軸と直交する水平軸上）に設けることが記載されている。しかしながら、この場合、一対の垂直偏向コイルの引き回し線が接続されるプラス端子及びマイナス端子からなる一対の垂直端子が設けられる端子板は、偏向ヨークに対して上側又は下側に設けられるから、複数の端子板を偏向ヨークに設けることになり、コストアップを招く。もし、一対の水平端子が設けられる端子板に、一対の垂直端子を設ければ、端子板の数を１枚とすることができるのでコストアップの問題は生じないが、コンバーゼンスを補正するための各素子も側方（管軸と直交する水平軸上）に設けることになり、作業性が悪化する。
【特許文献１】特開平１０−１２５２５９号公報
【発明の開示】
【発明が解決しようとする課題】
【０００９】
本発明は上記の従来の問題を解決し、一対の水平偏向コイルの引き回し線が接続されるプラス端子及びマイナス端子を偏向ヨークに対して上側又は下側に配置されたカラー受像管装置において、上下一対の水平偏向コイル間でのインダクタンス差により生じるＸＶミスコンバーゼンスを安価に低減することを目的とする。
【課題を解決するための手段】
【００１０】
本発明のカラー受像管装置は、内面に蛍光面が形成されたパネルと、前記パネルに接合されたファンネルと、前記ファンネルのネック部内に内装され、同一水平面上に一列配置された３電子ビームを前記蛍光面に向かって放射する電子銃と、前記蛍光面に対向し、前記３電子ビームが通過する多数の開孔が形成されたシャドウマスクと、前記電子銃から放射された前記３電子ビームを水平方向及び垂直方向に偏向する偏向ヨークとを備える。
【００１１】
前記偏向ヨークは、前記３電子ビームを水平方向に偏向する上下一対の水平偏向コイルと、前記一対の水平偏向コイルに水平偏向電流を供給するプラス端子及びマイナス端子とを備える。前記プラス端子及び前記マイナス端子は前記偏向ヨークに対して上側及び下側のいずれか一方の側にのみ配置されている。
【００１２】
前記一対の水平偏向コイルのうち、前記プラス端子及び前記マイナス端子から遠い方の水平偏向コイルの前記プラス端子に接続された第１引き回し線と前記マイナス端子に接続された第２引き回し線とは、管軸に沿って見たとき前記３電子ビームに対して右側及び左側のうちのいずれか一方側に配置されていることを特徴とする。
【発明の効果】
【００１３】
本発明によれば、上下一対の水平偏向コイル間でのインダクタンス差が生じない。従って、一対の水平偏向コイルは管軸を含む水平方向面に対して対称なピンクッション状の水平偏向磁界を形成する。その結果、ＸＶミスコンバーゼンスが生じず、良好なコンバーゼンス特性を得ることが出来る。
【００１４】
また、上下一対の水平偏向コイル間でのインダクタンス差が生じないので、ＸＶミスコンバーゼンスを補正するために差動コイルは不要である。従って、安価な偏向ヨーク及びカラー受像管装置を提供できる。
【発明を実施するための最良の形態】
【００１５】
以下に、本発明の一実施形態を図面を用いて説明する。
【００１６】
図１は、本発明の一実施形態に係るカラー受像管装置を示した一部切り欠き側面図である。図示したように、カラー受像管装置の管軸をＺ軸、Ｚ軸と直交する水平方向軸をＸ軸、Ｘ軸及びＺ軸と直交する垂直方向軸をＹ軸とする。
【００１７】
内面に蛍光面４が形成されたパネル２と、ファンネル３とが接合されて外囲器１が形成されている。ファンネル３のネック部３ａ内には電子銃５が内装されている。電子銃５は、同一水平面上に一列配置された３電子ビーム６Ｂ，６Ｇ，６Ｒを蛍光面４に向かって放射する。蛍光面４に対向するシャドウマスク７と、シャドウマスク７を支持する矩形枠状のフレーム８とからなるシャドウマスク構体９がパネル２の内壁面に保持されている。シャドウマスク７には、３電子ビーム６Ｂ，６Ｇ，６Ｒが通過する多数の開孔（電子ビーム通過孔）が形成されている。以上のように構成されたカラー受像管１０と偏向ヨーク２０とＣＰＵ(Convergence and Purity Unit)３０とでカラー受像管装置が構成される。偏向ヨーク２０は、電子銃から放射された３電子ビーム６Ｂ，６Ｇ，６Ｒを水平方向に偏向する上下一対の水平偏向コイルと、垂直方向に偏向する左右一対の垂直偏向コイルとを備える。ＣＰＵ３０は、蛍光面４の中央における色純度を調整するための２極マグネットリング３１と、色ずれ（コンバーゼンス）を調整するための４極マグネットリング３２及び６極マグネットリング３３とを備える。なお、偏向ヨーク２０とＣＰＵ３０の全部又は一部とが一体に構成される場合もある。
【００１８】
図２は、偏向ヨーク２０を構成する上下一対の水平偏向コイル４１，４２の引き回し線の配置をＺ軸に沿って蛍光面側から見た図である。図２において、Ｂ，Ｇ，Ｒは順にＢビーム，Ｇビーム，Ｒビームを示す。図４に示した従来の偏向ヨークと同様に、Ｚ軸を含む水平方向面を挟むように上下一対の水平偏向コイル４１，４２が配置されている。一対の水平偏向コイル４１，４２に水平偏向電流を供給するためのプラス端子Ｈ＋及びマイナス端子Ｈ−からなる一対の水平端子が設けられた端子板４９が偏向ヨークに対して上側に配置されている。
【００１９】
従来の偏向ヨークと同様に、上側水平偏向コイル４１の一方の引き回し線４３ａは上方に引き出されてプラス端子Ｈ＋に接続され、他方の引き回し線４３ｂは上方に引き出されてマイナス端子Ｈ−に接続されている。従来の偏向ヨークと同様に、下側水平偏向コイル４２の一方の引き回し線４４ａは３電子ビームに対して左側に引き回されて上方に引き出されてプラス端子Ｈ＋に接続されいる。但し、本実施形態では、従来の偏向ヨークと異なり、他方の引き回し線４４ｂは３電子ビームに対して左側に引き回されて上方に引き出されてマイナス端子Ｈ−に接続されている。即ち、下側水平偏向コイル４２の一対の引き回し線４４ａ，４４ｂは、Ｚ軸に沿って見たとき３電子ビームに対して左側に配置され、時計回り方向に引き回されている。Ｚ軸方向には、引き回し線４３ａ，４３ｂ，４４ａ，４４ｂはいずれも水平偏向コイル４１，４２の蛍光面側（大径側）より引き出され、偏向ヨークの蛍光面側端縁近傍を引き回されている。
【００２０】
端子板４９から遠い下側水平偏向コイル４２の引き回し線４４ａ，４４ｂが、図４に示した従来の偏向ヨークでは３電子ビームを囲むループ形状を形成していたのに対して、本実施形態の偏向ヨークではこのようなループ形状を形成していない。従って、上側水平偏向コイル４１と下側水平偏向コイル４２とが同じインダクタンスを有するように巻線が巻回されていれば、プラス端子Ｈ＋及びマイナス端子Ｈ−間においては、下側水平偏向コイル４２のインダクタンスＬＨｂは、上側水平偏向コイル４１のインダクタンスＬＨａと同じになる。
【００２１】
このため、水平偏向電流が流れると、一対の垂直偏向コイル４１，４２は、図３に示すようにＺ軸を含む水平方向面に対して上下対称のピンクッション状の水平偏向磁界を発生する。従って、Ｘ軸上の画面周辺に偏向される３電子ビームは、水平方向のローレンツ力のみを受け、垂直方向のローレンツ力は受けない。よって、図６に示したＸＶミスコンバーゼンスの発生を防止できる。同様の理由により、画面上下においてもＸＶミスコンバーゼンスの発生を防止できる。
【００２２】
本発明を画面対角サイズが３２インチのカラー受像管装置に適用した実施例を示す。偏向ヨークに対して上側に配置した端子板４９に設けたプラス端子Ｈ＋及びマイナス端子Ｈ−に上下一対の水平偏向コイル４１，４２の引き回し線４３ａ，４３ｂ，４４ａ，４４ｂを図２に示すように引き回して接続した。所定の水平偏向電流を流してインダクタンスを測定したところ、上側水平偏向コイル４１のインダクタンスＬＨａは４７５ｍＨ、下側水平偏向コイル４２のＬＨｂは４７５ｍＨであり、上下の水平偏向コイル間でインダクタンス差は発生していなかった。この偏向ヨークをカラー受像管に搭載して画面上のミスコンバーゼンス特性を評価したところ、ＸＶミスコンバーゼンスは発生しなかった。
【００２３】
比較例として、上下一対の水平偏向コイル４１，４２の引き回し線４３ａ，４３ｂ，４４ａ，４４ｂを図４に示すように引き回して接続する以外は上記実施例と同様にして偏向ヨークを作成した。所定の水平偏向電流を流してインダクタンスを測定したところ、上側水平偏向コイル４１のインダクタンスＬＨａは４７５ｍＨ、下側水平偏向コイル４２のＬＨｂは４８２ｍＨであり、上下の水平偏向コイル間で７ｍＨのインダクタンス差が発生していた。この偏向ヨークをカラー受像管に搭載して画面上のミスコンバーゼンス特性を評価したところ、このインダクタンス差に起因して０．３２ｍｍのＸＶミスコンバーゼンスが発生していた。
【００２４】
図２では、下側水平偏向コイル４２の一対の引き回し線４４ａ，４４ｂは、Ｚ軸に沿って見たとき３電子ビームに対して左側に配置され、時計回り方向に引き回されてプラス端子Ｈ＋及びマイナス端子Ｈ−に接続されているが、３電子ビームに対して右側に配置され、反時計回り方向に引き回されてプラス端子Ｈ＋及びマイナス端子Ｈ−に接続されていても良い。
【００２５】
また、図２では、端子板４９は偏向ヨークに対して上側に配置されているが、偏向ヨークに対して下側に配置しても良い。この場合、上下一対の水平偏向コイル４１，４２のうち、端子板４９から遠い上側水平偏向コイル４１の一対の引き回し線４３ａ，４３ｂを、Ｚ軸に沿って見たとき３電子ビームに対して右側又は左側に配置して、時計回り方向又は反時計回り方向に引き回してプラス端子Ｈ＋及びマイナス端子Ｈ−に接続すれば良い。
【００２６】
また、上記の実施形態では、Ｚ軸方向には、引き回し線４３ａ，４３ｂ，４４ａ，４４ｂはいずれも水平偏向コイル４１，４２の蛍光面側（大径側）より引き出され、偏向ヨークの蛍光面側端縁近傍を引き回されていたが、水平偏向コイル４１，４２の電子銃側（小径側）より引き出され、偏向ヨークの電子銃側端縁近傍を引き回されていても良い。
【００２７】
上記の説明において使用した「プラス端子」及び「マイナス端子」との名称は、一対の端子を単に区別するために用いており、端子に印加される電圧の極性を意味するものではない。周知のように、一対の水平偏向コイル及び一対の垂直偏向コイルには、一対の端子を通じて交番電圧がそれぞれ印加される。
【産業上の利用可能性】
【００２８】
本発明の利用分野は特に制限はなく、安価で且つコンバーゼンス特性が良好なインライン型カラー受像管装置として広範囲に利用することができる。
【図面の簡単な説明】
【００２９】
【図１】図１は、本発明の一実施形態に係るカラー受像管装置を示した一部切り欠き側面図である。
【図２】図２は、本発明の一実施形態に係るカラー受像管装置において、偏向ヨークを構成する上下一対の水平偏向コイルの引き回し線の配置を示した図である。
【図３】図３は、本発明の一実施形態に係るカラー受像管装置において形成される、管軸を含む水平方向面に対して対称のピンクッション状歪みを有する水平偏向磁界の磁力線を示した図である。
【図４】図４は、従来のカラー受像管装置において、偏向ヨークを構成する上下一対の水平偏向コイルの引き回し線の配置を示した図である。
【図５】図５は、従来のカラー受像管装置において形成される、管軸を含む水平方向面に対して下側が上側に比べてピンクッション状歪みが大きな水平偏向磁界の磁力線を示した図である。
【図６】図６は、画面上において現れるＸＶと呼ばれるミスコンバーゼンスを示した図である。
【符号の説明】
【００３０】
１  外囲器
２  パネル
３  ファンネル
３ａ  ネック部
４  蛍光面
５  電子銃
６Ｂ，６Ｇ，６Ｒ  電子ビーム
７  シャドウマスク
８  フレーム
９  シャドウマスク構体
１０  カラー受像管
２０  偏向ヨーク
３０  ＣＰＵ
３１  ２極マグネットリング
３２  ４極マグネットリング
３３  ６極マグネットリング
４１  上側水平偏向コイル
４２  下側水平偏向コイル
４３ａ，４３ｂ  上側水平偏向コイルの引き回し線
４４ａ，４４ｂ  下側水平偏向コイルの引き回し線
４９  端子板
【図１】
2008159282.tif 000003
【図２】
2008159282.tif 000004
【図３】
2008159282.tif 000005
【図４】
2008159282.tif 000006
【図５】
2008159282.tif 000007
【図６】
2008159282.tif 000008